(57)【特許請求の範囲】
【請求項１】
帯状布幅両端縁の裁ち端を始末し側縁とした一枚の吸着布、又は丸編みメリヤス生地等筒状布を表裏二枚厚に折り畳み、両端縁に形成される折り畳み縁を側縁とする吸着布において、両側縁を外側に前記吸着布を三分に等配し、三分した該吸着布の中を中央部としこれに連なる両翼の反転部は前記中央部の幅に合わせ内側に折り畳み、且つ前記両反転部は夫々二分に等配し反転折り返し畳み、当該反転折り返し畳み縁を夫々縦縫着線とし、前記中央部の上に前記縦縫着線を向かい合わせて前記両反転部は折り畳み重なり厚みを持たせた吸着布重合をなし、該吸着布重合は長さ方向の向かい合う前記両縦縫着線上の一点を縫着始点とし、これに連なる縫着終点の間の前記両反転部は縫着継合され且つ前記吸着布重合の前記縫着終点は幅縫着で前記縦縫着線に垂直に縫着これに続く未縫着で扇状に広げたクロッチ縫合布と、反前記クロッチ縫合布の前記縫着始点を幅縫着で前記縦縫着線に垂直に縫着、該縫着始点と該縫着終点の間を吸着布重合部としこれに続く未縫着で扇状に広げた後身頃縫合布を設け形成された下穿きに取り付ける湿気吸着帯。
【請求項２】
下穿きに設けてある環状の腰部伸縮性生地から取り付ける湿気吸着帯は前記下穿きの前身頃に縫着終点をクロッチ点に合わせクロッチ縫合布を縫着、これに続く吸着布重合部と前記吸着布重合部に接する後身頃縫合布の縁辺を懸架縫着し、これに更に続く前記後身頃縫合布は前記下穿きの後身頃から前記腰部伸縮性生地に縫着し、当該前記懸架縫着した前記縫着終点と前記後身頃縫合布の縁辺の間は、その取り付け寸法において前記下穿きの身生地より短く且つ離間されている請求項１記載の下穿きに取り付ける湿気吸着帯。
【発明の詳細な説明】
【技術分野】
【０００１】  本発明は、下穿きに取り付けるクロッチ点から肛門を経て尻の割れ目に沿って発生する汗等湿気を取り除く湿気吸着帯に関するものである。
【背景技術】
【０００２】  下穿きの中で男性用ブリーフ系の物は、前身中央部の形状、機能に改良を加えたものが実用に供され、又トランクス系の物は局所周辺の環境、例えば蒸れ対策として通気性の良い素材の使用がある。女性用下穿きの多くはブリーフ系で、体に密着し整合する物が求められ例えばクロッチ周辺部のフイット性、着用時の外観の見栄えも重要視されている。【０００３】  しかし、各下穿きについて考察するとき、クロッチ点前部の局所周辺の着用感、機能の改良、加えて外観に配慮した製品つくりに時間を費やし、クロッチ点後部の尻の割れ目に沿って起きている問題は見過ごされてきた。【０００４】  屋内就業について労働環境は改善されつつも、事情によりその恩典に浴する事の無い例えば、着座しての長時間の作業は多く運輸関係における流通，交通機関の一部従事者は長時間の着座による作業につき、同じ姿勢を保ち続ける事でクロッチ点周辺後部は多くの負担を受けている。【０００５】  着座によるクロッチ点周辺の状況は左右大殿筋が互いに接し座席に覆い被さり、クロッチ点後部の風通しは遮断され発生する汗による湿気は増すばかりで、その対策として椅子又は座布団中央に穴をあけた物が用いられているがその使用は限られている。
【先行技術文献】
【特許文献】
【０００６】
【特許文献１】  特許第３００８０８０号
【特許文献２】  特許第３６０６６９９号
【発明の概要】
【発明が解決しようとする課題】
【０００７】  解決しようとする問題点は長時間の着座又は季節によって高温多湿等によるクロッチ点から尻の割れ目に沿って発生する汗等湿気を除去することが出来ない点である。
【課題を解決するための手段】
【０００８】  下穿きに取り付けた湿気吸着帯はクロッチ点から肛門を経て腰部に至る吸着布重合部を以って肌と密着、離反を繰り返し湿気の吸収、放散する事を最も主要な特徴とする。
【発明の効果】
【０００９】  本発明の湿気吸着帯は汗等湿気を多く吸収する事と、吸収した湿気を早く放散する目的を下穿きに懸架縫着した吸着布重合部で実現した。
【図面の簡単な説明】
【００１０】
【図１】本発明の正面図である。
【図２】本発明の背面図である。
【図３】本発明の第１図Ａ−Ａ線による拡大断面図である。
【図４】本発明を一部を破断した下穿きに適用した第一実施例の後方斜視図である。
【発明を実施するための形態】
【００１１】  帯状布幅両端縁の裁ち端を始末し側縁とした一枚の吸着布１、又は丸編みメリヤス生地等筒状布を表裏二枚厚に折り畳み、両端縁に形成される折畳み縁を側縁とする吸着布１において、両側縁を外側に吸着布１を三分に当配し、三分した該吸着布１の中を中央部２としこれに連なる両翼の反転部３は中央部２の幅に合わせ内側に折り畳み、且つ両反転部３は夫々二分に当配し反転折り返し畳み、前記反転折り返し畳み縁を夫々縦縫着線４とし、中央部２の上に縦縫着線４を向かい合わせ両反転部３は折り畳み重なり厚みを持たせた吸着布重合をなし、該吸着布重合は長さ方向の向かい合う両縦縫着線４上の一点を縫着始点５とし、これに連なる縫着終点６の間の両反転部３は縫着継合され前記吸着布重合の縫着終点６は幅縫着７で縦縫着線４に垂直に縫着これに続く未縫着で扇状に広げたクロッチ縫合布２１と、反前記クロッチ縫合布２１の縫着始点５を幅縫着７で縦縫着線４に垂直に縫着、該縫着始点５と該縫着終点６の間は吸着布重合部２０としこれに続く未縫着で扇状に広げた後身頃縫合布２２を設けた下穿き３０に取り付ける湿気吸着帯１１が形成される。
【実施例１】
【００１２】  図１、図２は吸着布１中程を折り畳み縫着して湿気吸着帯１１を形成し、吸着布重合部２０を挟んで両端にクロッチ縫合布２１、後身頃縫合布２２で構成されている湿気吸着帯１１の図１正面図と図２背面図である。【００１３】  図３は、吸着布重合部２０の折り畳み縫着状況を第１図Ａ−Ａ線による拡大断面図で示したもので、該吸着布重合部２０において向かい合う両反転部３の縦縫着線４は縫着継合され、中央部２と反転部３は離反した状態にあり汗等湿気を多く吸収する事と、吸収した湿気を早く放散する機構である。【００１４】  図４は、一部を破断した下穿き３０において湿気吸着帯１１を環状の腰部伸縮性生地３１前身頃からクロッチ点３２を経て後身頃の腰部伸縮性生地３１に縫着取り付けた後方斜視図で、吸着布重合部２０は下穿き３０のクロッチ点３２から後身頃縫合布２２の縁辺の間は懸架され下穿き３０身生地と離間の状態を示している。【００１５】  下穿き３０に設けてある腰部伸縮性生地３１から取り付ける湿気吸着帯１１は下穿き３０の前身頃に縫着終点６をクロッチ点３２に合わせクロッチ縫合布２１を縫着、これに続く吸着布重合部２０と吸着布重合部２０と接する後身頃縫合布２２の縁辺を懸架縫着し、これに更に続く後身頃縫合布２２は下穿き３０の後身頃から腰部伸縮性生地３１に縫着し、当該前記懸架縫着した縫着終点６と後身頃縫合布２２の縁辺の間はその取り付け寸法において下穿き３０の身生地より短く且つ離間され、湿気吸着帯１１を備えた下穿き３０の着用において腰部伸縮性生地３１を手を以って上に吊り上げた時又は着座時の吸着布重合部２０は肌と密着し、且つ歩行時等立ち居振舞いの時吸着布重合部２０は尻の割れ目から外れ、該吸着布重合部２０は汗等湿気の吸収と放散が行われる。【００１６】  下穿き３０の腰部伸縮性生地３１から取り付ける湿気吸着帯１１は該下穿き３０の形状、異なる種類の生地に対応出来るようにしたもので、腰部伸縮性生地３１と湿気吸着帯１１を一体化する事により湿気吸着帯１１を備えた下穿き３０の着用において扱いやすく、効果を発揮できる。【００１７】  湿気吸着帯１１正面を下穿き３０内側に縫着取り付けた下穿き３０の着用において、該吸着布重合部２０は黄ばむ問題点があり、当該湿気吸着帯１１を色目の濃い物にする事と洗濯等衛生面の配慮は十分に行われる事が肝心である。
【産業上の利用可能性】
【００１８】  本発明の湿気吸着帯１１は製造が自動量産化に適し低価格での提供が出来、且つ既存の下穿き３０の形状，機能を損なう事無く縫着取り付けが出来、湿気吸着帯１１を懸架縫着した下穿き３０の使用は長時間着座の従事者又は季節による高温多湿等クロッチ点から肛門を経て割れ目に沿って発生する汗等湿気による苦痛を和らげる。
【符号の説明】
【００１９】１    吸着布
２    中央部
３    反転部
４    縦縫着線
５    縫着始点
６    縫着終点
７    幅縫着
１１  湿気吸着帯
２０  吸着布重合部
２１  クロッチ縫合布
２２  後身頃縫合布
３０  下穿き
３１  腰部伸縮性生地
３２  クロッチ点
【要約】
【課題】  着座時間の長い作業従事者の、股間のクロッチ点から肛門を経て尻の割れ目に沿って発生する汗等湿気を除去する。
【解決手段】  湿気吸着帯の吸着布を折り畳み重ねた吸着布重合部は下穿きのクロッチ点から尻の割れ目に沿って前記下穿きの後身頃腰部に懸架取り付け、肌と密着、離反が行われ、汗等湿気は吸収、放散される。
【選択図】図４【図１】
0005756219.tif 000002
【図２】
0005756219.tif 000003
【図３】
0005756219.tif 000004
【図４】
0005756219.tif 000005